(57)【要約】      （修正有）【課題】木構造部材が直角に接合する部位の木部を仕口のほぞ加工なしで互いに固定すべき位置に強固に正確に固定し、更に狭い空間での組立作業も容易に行えるようにする。【解決手段】直角面にボルト、ナットあるいは木ねじ等により装着する接合金物１１のＬ字型の一辺１２の第一の木部１に接する面にボルト４等が貫通する穴を有するボス１３を固着し、第一の木部１と直角に接合する第二の木部６に接するＬ字型の他の一辺にボルト９等が貫通する穴とフランジ１８を有するブッシュ１７が嵌合する穴１６を設け、更にＬ字の角に第一の木部１に食い込む複数の爪１５を設けた。【選択図】図１
0003109757.tif 000002
【実用新案登録請求の範囲】
【請求項１】
木材の接合部位に構成される直角面にボルト、ナットあるいは木ねじ等の締結具により装着せられるＬ字型の接合金物であって、Ｌ字型の一辺１２の第一の木部１に接する面にボルト４等の締結具が嵌合する穴を有するボス１３を固着し、第一の木部１と直角に接合する第二の木部６に接するＬ字型の他の一辺１４にボルト９等の締結具が嵌合する穴とフランジ１８を有するブッシュ１７が嵌る穴１６を設け、更にＬ字の角に第一の木部１に食い込む複数の爪１５を設けた木材の接合金物１１。
【請求項２】
前記固着されたボス１３のＬ字型の一辺１２からの高さが複数の爪１５の先端より高く設定されている請求項１の接合金物１１。
【考案の詳細な説明】
【技術分野】
【００１】  家屋、家具等に用いられる構造部材としての木材は一般的に直角に接合する。その接合部位には種々の補強金物が使用され考案も多々提案されている。本考案はその金物に関する考案である。
【背景技術】
【００２】  木材が直角に接合する部位であって直角面に使用されている金物の例を図５（イ）、（ロ）、（ハ）に示す。いずれも柱と横架材の接合部位に板金よりなる接合金物を使用した例である。その他、図示していないが引寄せ羽子板により同様の仕口部位を補強する例が多い。
【考案の開示】
【考案が解決しようとする課題】
【００３】  現在使用され、あるいは提案されている木構造の接合部位の接合金物は図５（イ）、（ロ）、（ハ）のように、木ねじあるいはボルト、ナット等により木部に固定されるが、木部の接合部位は既に短ほぞ等による仕口接合されており前記接合金物は補強金物としての後付けである。一般家屋の場合、建築後使用するに従い変更したい部分が発生することがままある。改築の内容によっては柱、梁の追加、移動等が生ずるが不必要な部材までも取り外して工事に当ることが多い。木部の接合部位が凹凸の形状となるほぞ差しの仕口であり、組上がり寸法よりほぞの寸法分の余計な空間が必要となるからである。前述の種々の接合金物は本来これらの問題を解決するための金物ではない。
【課題を解決するための手段】
【００４】  木構造部材が直角に接合する部位の木部を仕口のほぞ加工なしで互に固定すべき位置に強固に正確に固定し、更に狭い空間での組立作業も容易に行えるようにするために、木部の接合部位に構成される直角面にボルト、ナットあるいは木ねじ等の締結具により装着するＬ字型の接合金物に於いて、Ｌ字型の一辺１２の第一の木部１に接する面にボルト４等の締結具が嵌合する穴を有するボス１３を固着し、第一の木部１と直角に接合する第二の木部６に接するＬ字型の他の一辺１４にボルト９等の締結具が嵌合する穴とフランジ１８を有するブッシュ１７が嵌る穴１６を設け、更にＬ字の角に第一の木部１に食い込む複数の爪１５を設けた木材の接合金物１１とすることによって、更に前記固着されたボス１３のＬ字型の一辺１２からの高さが複数の爪１５の先端より高く設定されている前記の接合金物１１とすることによって、前記課題は解決する。
【考案の効果】
【００５】  図５（イ）、（ロ）に示す従来の接合金物は本考案の目的を含むものではないが、結果的に形状に類似性が存在する。しかしながらいずれも既に存在する木部に対して取付ける後付けであるのでそれ自体には取付けられる位置を精度よく決定する機能はない。
本考案は円筒のボス１３あるいはブッシュ１７が取付け位置を正確に決定する。ボス１３あるいはブッシュ１７が嵌合する相手木材のザグリ２、７径及びその位置をあらかじめ精度よく加工することは容易であるからである。まず接合金物１１はボス１３をザグリ穴２に嵌合せしめ、その後ボルト４ナット５あるいは木ねじ２０等を締めることにより複数の爪１５が第一の木部に食い込み固定される。次にブッシュ１７を接合金物１１の穴１６から第二の木部６のザグリ穴７に嵌めてボルト９ナット１０等で固定するのであるが、ブッシュ１７は接合金物１１に対して着脱可能であるので、第二の木部６の取付く他の一辺１４の面を平坦の状態にしておいて上からでも横からでも滑り込ませて組立てることが出来る。即ち、狭い空間での作業が可能となる。
前述のごとく本考案の接合金物１１は、直角に接合する第一の木部１と第二の木部６を互に固定すべき位置に正確に強固に固定することが出来るので、ほぞなしの仕口とすることが出来る。素人にでもガレージ等の小建物を作ることは容易となる。
【考案を実施するための最良の形態】
【００６】  以下本考案の実施形態について図面にて説明する。
【構成】
図１は本考案の仕口の接合金物１１の実施例であり、図は第一の木部１に接合金物１１が固定された状態を示す。図２は木部６も固定され組立が完了した状態を示す。
接合金物１１は概ねＬ字型をなしており、その一辺１２の中程に第一の木部１に接する側にボルト４の貫通する穴が明いたボス１３が固着されている。Ｌ字型の他の辺１４の中程にはボルト９が貫通する穴とフランジ１８を有するブッシュ１７が嵌合する穴１６が明いている。またＬ字型の角部には第一の木部１に食い込む形状の複数の爪１５が前記ボス１３と同じ向きに設けられている。爪１５はＬ字型の角部に設けてあるが他の一辺１４の延長線上でもある。接合金物１１を更に強固に固定するための複数の木ねじ２０の穴２１がある。
第一の木部１及び第二の木部６にはボルト４、９が貫通する穴３、８が明けられており更に固着のボス１３の外径及びブッシュ１７の外径が嵌合するザグリ穴２と７が明けられている。ナット５、ナット１０各座金等はボルト４、９同様に通常の締結具である。尚、リブ１９は補強のために設けたもの。
図は、ボルト４がボス１３の穴を貫通しボルト９がブッシュ１７の穴を貫通してそれぞれナット５、１０で締結することを示しているが、ボス１３の貫通穴にねじ加工し、ボルト４をねじ嵌合することも、また同様にブッシュ１７の貫通穴にねじ加工してブッシュ１７に廻り止めなどをしてボルト９をねじ嵌合することも締結の一案である。
【作用】
【００７】  接合金物１１は図１に示すごとくまず第一の木部１にボルト４ナット５座金等により固定される。固定される位置は第一の木部１のザグリ穴２位置とその内径及びボス１３の外径の嵌合精度によって決まる。これらの加工精度は通常の加工技術で充分得られるものである。第一の木部１の一辺１２からのボス１３と爪１５の高さはボス１３の方が少し高い。従ってボルト４を締める時、ボス１３とザグリ穴２によって接合金物１１は位置が決まって更にボルト４を締めていくと爪１５が第一の木部１に食い込み回動を阻止されて固定される。更に木ねじ２０等により固定する。
次に第二の木部６を接合金物１１の他の一辺１４に載せる。この時第二の木部６は他の一辺１４の面に垂直方向からでも面に平行に滑らせる方向からでも持って来られる。そしてブッシュ１７を他の一辺１４の穴１６から第二の木部６のザグリ穴７に嵌合し、ボルト９ナット１０、座金等により固定する。更に木ねじ２０等により固定する。
図１ないし図２は第一の木部１が柱で、第二の木部６が梁等の横架材に見えるが、木部１が土台で木部６を柱としてもよい。また棚を作る骨組みと理解してもよい。いずれにしろ接合金物１１は単純な形状であるので大きくて高強度のものも小さい寸法のものも容易に製造することが出来る。
以上の説明で理解されるように本考案の接合金物により木部は高い精度に組立てられ、強固に組立てられるので凹と凸の仕口の加工は不要となる。そのことにより大は家屋の増改築から小は素人の日曜大工まで幅広い用途に応えられる。
【図面の簡単な説明】
【図１】接合金物１１を第一の木部１へ固定し、第二の木部６を取付けようとする状態の断面図
【図２】接合金物１１を第一の木部１と第二の木部６に固定し終えた状態の断面図
【図３】図２の側面図
【図４】接合金物１１及び締結具の説明のための斜視図
【図５】（イ）、（ロ）、（ハ）現在既に接合部位の直角面に使用されている接合金物の例
【符号の説明】
１、第一の木部              １２、一辺
２、ザグリ穴                １３、ボス
４、ボルト                  １４、他の一辺
５、ナット                  １５、爪
６、第二の木部              １６、穴
７、ザグリ穴                １７、ブッシュ
９、ボルト                  １８、フランジ
１０、ナット                １９、補強リブ
１１、接合金物              ２０、木ねじ
【図１】
0003109757.tif 000003
【図２】
0003109757.tif 000004
【図３】
0003109757.tif 000005
【図４】
0003109757.tif 000006
【図５】
0003109757.tif 000007